(57)【要約】 【課題】セキュリティ性の高い表示装置、表示データ削除プログラム及び表示データ削除方法を提供することを課題とする。【解決手段】表示手段に表示すべき表示データを取得する表示データ取得手段と、取得された表示データを記憶手段に記憶させる記憶制御手段と、前記表示データを前記記憶手段から読み出して前記表示手段に表示させる表示制御手段と、前記記憶手段に記憶された表示データのうち、前記表示手段に表示済みの表示データを前記記憶手段から削除する削除手段であって、当該表示データについて前記表示手段に表示済みと判断したタイミングで削除する前記削除手段と、を有することを特徴とする表示装置。【選択図】図２
2010185957.tif 000002
【特許請求の範囲】
【請求項１】
表示手段に表示すべき表示データを取得する表示データ取得手段と、
取得された前記表示データを記憶手段に記憶させる記憶制御手段と、
前記表示データを前記記憶手段から読み出して前記表示手段に表示させる表示制御手段と、
前記記憶手段に記憶された表示データのうち、前記表示手段に表示済みの表示データを前記記憶手段から削除する削除手段であって、当該表示データについて前記表示手段に表示済みと判断したタイミングで削除する前記削除手段と、
を有することを特徴とする表示装置。
【請求項２】
請求項１に記載の表示装置において、
前記表示手段は、電力供給を受けずに画像の表示状態を維持可能なメモリ性の表示手段であって、
前記削除手段は、前記表示制御手段によって前記表示データの前記表示手段への表示書換え処理が行なわれたときに、当該表示書換え処理によって前記表示手段に表示された表示データを前記記憶手段から削除することを特徴とする表示装置。
【請求項３】
請求項１又は請求項２に記載の表示装置において、
指示を受け付ける指示受け付け手段を有し、
前記記憶制御手段は、複数の表示データから構成されたコンテンツを取得して前記記憶手段に記憶させ、
前記表示制御手段は、前記指示受け付け手段によって前記コンテンツの表示が指示されると、当該コンテンツを構成する各前記表示データを前記表示手段に表示させ、
前記削除手段は、前記指示受け付け手段によって前記コンテンツの表示の終了が指示されると、当該コンテンツを構成する前記複数の表示データを前記記憶手段から削除することを特徴とする表示装置。
【請求項４】
請求項１乃至請求項３のいずれか一項に記載の表示装置において、
指示を受け付ける指示受け付け手段を有し、
前記記憶手段は、不揮発性の記憶手段であって、
前記削除手段は、前記指示受け付け手段によって当該表示装置の電源を切断する旨の指示がされると、前記記憶手段に記憶された全ての表示データを前記記憶手段から削除することを特徴とする表示装置。
【請求項５】
請求項１乃至請求項３のいずれか一項に記載の表示装置において、
指示を受け付ける指示受け付け手段を有し、
前記記憶手段は、揮発性の記憶手段であって、
前記削除手段は、前記指示受け付け手段によって当該表示装置の電源を切断する旨の指示がされると、前記記憶手段に記憶された全ての表示データを前記記憶手段から削除することを特徴とする表示装置。
【請求項６】
請求項４又は請求項５に記載の表示装置において、
前記表示手段が、電力供給を受けずに画像の表示状態を維持可能なメモリ性の表示手段である場合には、
前記表示制御手段は、前記指示受け付け手段によって当該表示装置の電源を切断する旨の指示がされると、前記表示手段に表示中の表示データの表示を終了することを特徴とする表示装置。
【請求項７】
請求項１乃至６のいずれか一項に記載の表示装置として機能させることを特徴とする表示データ削除プログラム。
【請求項８】
表示手段に表示すべき表示データを取得する工程と、
取得された前記表示データを記憶手段に記憶させる工程と、
前記表示データを前記記憶手段から読み出して前記表示手段に表示させる工程と、
前記記憶手段に記憶された表示データのうち、前記表示手段に表示済みの表示データを前記記憶手段から削除する削除工程であって、当該表示データについて前記表示手段に表示済みと判断したタイミングで削除する前記削除工程と、
を有することを特徴とする表示データ削除方法。
【発明の詳細な説明】
【技術分野】
【０００１】
本発明は、表示手段に表示済みの表示データを記憶手段から削除する表示装置及び表示データ削除プログラム及び表示データ削除方法に関するものである。
【背景技術】
【０００２】
従来より、ネットワークを通じてコンテンツデータを、ハードディスク等の記憶手段にダウンロードし、当該ハードディスク等から、表示モニタに表示すべき表示データを順次取得して表示させるよう構成された表示装置がある。
【０００３】
例えば、特許文献１には、電子ネットワーク上で、文書書式を維持しながら文書送付する方法に関する技術が開示されている。
【先行技術文献】
【特許文献】
【０００４】
【特許文献１】特開平１１−２７２５９４号公報
【発明の概要】
【発明が解決しようとする課題】
【０００５】
このような表示装置において、ユーザーがコンテンツデータをハードディスク等にダウンロードし、表示部に表示させて閲覧する場合、閲覧後は、ハードディスク内のコンテンツデータは、もはや不要であるにもかかわらず、ユーザーが操作部を操作して削除指示を行なうなど、別段の削除指示を行なわない限り、いつまでもハードディスク内に保存されたままとなってしまう。
【０００６】
特に、コンテンツデータが機密性の高い文書である場合には、セキュリティ上好ましくない。
【０００７】
本発明は、上述したような課題に鑑みてなされたものであり、セキュリティ性の高い表示装置、表示データ削除プログラム及び表示データ削除方法を提供することを課題とする。
【課題を解決するための手段】
【０００８】
上記課題を解決するために、請求項１に記載の発明は、表示手段に表示すべき表示データを取得する表示データ取得手段と、取得された前記表示データを取得して記憶手段（ＲＡＭ等）に記憶させる記憶制御手段と、前記表示データを前記記憶手段から読み出して前記表示手段に表示させる表示制御手段と、前記記憶手段に記憶された表示データのうち、前記表示手段に表示済みの表示データを前記記憶手段から削除する削除手段であって、当該表示データについて前記表示手段に表示済みと判断したタイミングで削除する前記削除手段と、を有することを特徴とする表示装置である。
【０００９】
この発明によれば、記憶手段に記憶された表示データのうち、表示手段に表示済みの表示データを、表示済みと判断したタイミングで削除するので、セキュリティ性の高い表示装置を実現できる。
【００１０】
上記課題を解決するために、請求項２に記載の発明は、請求項１に記載の表示装置において、前記表示手段は、電力供給を受けずに画像の表示状態を維持可能なメモリ性の表示手段であって、前記削除手段は、前記表示制御手段によって前記表示データの前記表示手段への表示書換え処理が行なわれたときに、当該表示書換え処理によって前記表示手段に表示された表示データを前記記憶手段から削除することを特徴とする表示装置である。
【００１１】
この発明によれば、表示手段に表示中の表示データを記憶手段から削除しても、表示データによって書換えられた画像を表示手段に表示維持することができるので、表示手段への表示書換え処理が行なわれたときに、表示済みの表示データを記憶手段から迅速に削除することができる。
【００１２】
上記課題を解決するために、請求項３に記載の発明は、請求項１又は請求項２に記載の表示装置において、指示を受け付ける指示受け付け手段を有し、前記記憶制御手段は、複数の表示データから構成されたコンテンツを取得して前記記憶手段に記憶させ、前記表示制御手段は、前記指示受け付け手段によって前記コンテンツの表示が指示されると、当該コンテンツを構成する各前記表示データを前記表示手段に表示させ、前記削除手段は、前記指示受け付け手段によって前記コンテンツの表示の終了が指示されると、当該コンテンツを構成する前記複数の表示データを前記記憶手段から削除することを特徴とする表示装置である。
【００１３】
この発明によれば、コンテンツの表示終了指示により、当該コンテンツを構成する複数の表示データを記憶手段から削除するので、手間なく、かつ、確実にコンテンツを構成する全表示データを削除することができる。
【００１４】
上記課題を解決するために、請求項４に記載の発明は、請求項１乃至請求項３のいずれか一項に記載の表示装置において、前記記憶手段は、不揮発性の記憶手段であって、指示を受け付ける指示受け付け手段を有し、前記削除手段は、前記指示受け付け手段によって当該表示装置の電源を切断する旨の指示がされると、前記記憶手段に記憶された全ての表示データを前記記憶手段から削除することを特徴とする表示装置である。
【００１５】
この発明によれば、電源のオフ（切断する）指示により、不揮発性の記憶手段に記憶された表示データを削除するので、手間なく、かつ、確実に記憶手段に記憶された表示データを削除することができる。
【００１６】
上記課題を解決するために、請求項５に記載の発明は、請求項１乃至請求項３のいずれか一項に記載の表示装置において、指示を受け付ける指示受け付け手段を有し、前記記憶手段は、揮発性の記憶手段であって、前記削除手段は、前記指示受け付け手段によって当該表示装置の電源を切断する旨の指示がされると、前記表示データを前記記憶手段から削除することを特徴とする表示装置である。
【００１７】
この発明によれば、電源のオフ（切断する）指示により、揮発性の記憶手段に記憶された表示データを削除するので、手間なく、かつ、確実に記憶手段に記憶された表示データを削除することができる。
【００１８】
上記課題を解決するために、請求項６に記載の発明は、請求項４又は請求項５に記載の表示装置において、前記表示手段が、電力供給を受けずに画像の表示状態を維持可能なメモリ性の表示手段である場合には、前記表示制御手段は、前記指示受け付け手段によって当該表示装置の電源を切断する旨の指示がされると、前記表示手段に表示中の表示データの表示を終了することを特徴とする表示装置である。
【００１９】
この発明によれば、メモリ性の表示手段である場合には、表示装置の電源のオフ（切断する）指示により、記憶手段に記憶された表示データを削除するだけでなく、かつ、表示手段の表示も終了することができるので、よりセキュリティ性の高い表示装置を提供することができる。
【００２０】
上記課題を解決するために、請求項７に記載の発明は、コンピュータを、請求項１乃至６の何れか一項に記載の表示装置として機能させることを特徴とする表示データ削除プログラムである。
【００２１】
上記課題を解決するために、請求項８に記載の発明は、表示手段に表示すべき表示データを取得して記憶手段に記憶させる記憶制御工程と、前記表示データを前記記憶手段から読み出して前記表示手段に表示させる表示制御工程と、前記記憶手段に記憶された表示データのうち、前記表示手段に表示済みの表示データを前記記憶手段から削除する削除工程と、を有することを特徴とする表示データ削除方法である。
【発明の効果】
【００２２】
本発明によれば、記憶手段に記憶された表示データのうち、表示手段に表示済みの表示データを削除するので、セキュリティ性の高い表示装置を実現できる。
【図面の簡単な説明】
【００２３】
【図１】本実施形態に係る携帯型表示装置１の概要構成例を示すブロック図である。
【図２】本実施形態に係る携帯型表示装置１の正面図である。
【図３】携帯型表示装置１のＣＰＵ１０１において実行される処理の動作を示すフローチャートである。
【発明を実施するための形態】
【００２４】
以下、本発明の実施の形態を図面を参照して説明する。
【００２５】
なお、以下に説明する実施の形態は、携帯型表示装置１に本発明を適用した場合の実施形態である。
【００２６】
始めに、図１等を参照して、本実施形態に係る携帯型表示装置１の構成及び動作概要について説明する。
【００２７】
図１は、本実施形態に係る携帯型表示装置１の概要構成例を示すブロック図であり、図２は、本実施形態に係る携帯型表示装置１の正面図である。
【００２８】
図１に示すように、携帯型表示装置１は、携帯型表示装置１全体を統括制御するＣＰＵ（Central Processing Unit）１０１と、ファームウエア等を記憶するＲＯＭ（Read Only Memory）１０２と、各種制御プログラム（本発明の表示データ削除プログラムを含む）やユーザー設定等のデータを記憶するフラッシュＲＯＭ１０３と、ＣＰＵ１０１の制御処理に必要なデータや、外部機器等から取得したコンテンツデータを一時的に記憶する揮発性記憶手段の一例としてのＲＡＭ（Random Access Memory）１０４と、決定キー１０５ａ、拡大キー１０５ｂ、縮小キー１０５ｃ、右キー１０５ｄ及び左キー１０５ｂ等のページめくりキー、及び電源キー１０５ｆ等から構成され、指示受け付け手段としてユーザーからの指示を指示情報としてＣＰＵ１０１に供給する操作キー１０５と、例えば、電気泳動表示パネルや液晶表示パネル等により構成され、一又は複数の表示データにより構成されるコンテンツを画面に表示する表示部１０６と、ＣＰＵ１０１からの指示に基づき表示部１０６による表示を制御する表示コントローラ１０７と、を備えている。
【００２９】
また、携帯型表示装置１は、例えばリチウムイオン電池等から構成されるバッテリー１０８と、バッテリー１０８に対する充電を制御する充電コントローラ１０９と、メモリカードドライブ等により構成され、ＣＰＵ１０１からの指示に基づきメモリカードドライブに挿入されたメモリカードＭＣに対してデータの書き込み及び読み出しを行なうメモリカードＩ／Ｆ（インターフェース）１１０と、携帯型表示装置１と、ＰＤＡ等の端末機器、サーバ装置、パーソナルコンピュータ（ＰＣ）等の外部機器（外部装置）とを有線または無線により接続してデータを送受信するためのインターフェース処理を行なう通信Ｉ／Ｆ１１１と、を備えている。
【００３０】
そして、ＣＰＵ１０１と、ＲＯＭ１０２、フラッシュＲＯＭ１０３、ＲＡＭ１０４、操作キー１０５、表示コントローラ１０７、充電コントローラ１０９、メモリカードＩ／Ｆ１１０及び通信Ｉ／Ｆ１１１とは、バス１１２を介して相互に接続されている。
【００３１】
携帯型表示装置１は、ユーザーが操作部１０５を操作することにより、ＣＰＵ１０１が、表示データ取得手段として機能して、ＰＤＡ等の端末機器からＵＳＢケーブル等の有線ケーブルや無線データ通信等を通じて、或いは他のサーバ装置やＰＣ等から、ネットワークを通じて、所望のコンテンツデータを取得し、表示部１０６に表示するよう構成されている。
【００３２】
具体的には、ＣＰＵ１０１は、取得したコンテンツデータを、例えば、ＲＡＭ１０４にダウンロード（一時記憶）し、当該コンテンツデータを表示する際には、ＣＰＵ１０１及び表示コントローラ１０７が当該ＲＡＭ１０４にアクセスし、コンテンツデータを読み出して表示部１０６に表示する。
そして、表示済みの表示データをＲＡＭ１０４から削除する。
【００３３】
（ｉ）コンテンツデータが１つの表示データのみから構成されている場合
コンテンツデータが１つの表示データから構成されている場合には、ＣＰＵ１０１は、表示部１０６への表示が行なわれたと判断したタイミングで、表示済みであるコンテンツデータ（表示データ）をＲＡＭ１０４から削除する。
（ii）コンテンツデータが複数の表示データから構成されている場合
コンテンツデータが複数の表示データから構成されている場合には、ＣＰＵ１０１は、ＲＡＭ１０４に一時記憶された複数の表示データのうち、表示部１０６に表示すべき表示データを読み出して、表示部１０６に表示させる。
【００３４】
ここで、「表示部１０６に表示すべき表示データ」とは、例えば、コンテンツの最初の表示である場合には、最初のページに対応する表示データである。図２に示す例では、表示部１０６にコンテンツの最初のページである第１ページが表示されている。
【００３５】
なお、ユーザーが操作部１０５を操作することにより、ページめくり等の各種指示を受け付けた場合には、次のページ（或いは前のページ）に対応する表示データが表示すべき表示データとなる。さらに、ユーザーが操作キー１０５を操作することにより表示するページをユーザーが適宜選択できるよう構成してもよい。
【００３６】
また、表示するページが複数の表示データに対応する場合には、対応する全表示データが「表示部１０６に表示すべき表示データ」となる。
【００３７】
そして、ＣＰＵ１０１は、ＲＡＭ１０４から表示すべき表示データを読み出し、表示部１０６への表示が行なわれたと判断したタイミングで、当該表示データ（表示済みの表示データ）をＲＡＭ１０４から削除する。
【００３８】
このように、本実施形態では、ＲＡＭ１０４に一時記憶させた表示データのうち、表示済みの表示データを、表示が行なわれたと判断したタイミングで削除するよう構成した。従って、表示データの消し忘れを防ぐことができ、セキュリティ性を向上させることができる。
【００３９】
なお、“表示部１０６への表示が行なわれたと判断したタイミング”とは、例えば、表示データに基づいて表示部１０６への表示書換え処理が行われたときである。特に、表示部１０６が、電力供給を受けずに画像の表示状態を維持可能なメモリ性の高い電気泳動表示パネルやコレステリック液晶等によって構成されている場合には、表示部１０６への表示書換え処理が行なわれたときに、即座にＲＡＭ１０４の表示データを削除しても、一旦表示部１０６に表示した表示状態は維持することができるので、ユーザーは引き続き表示部１０６に表示された情報を利用（閲覧）できるという効果がある。
【００４０】
また、ユーザーが操作部１０５を操作することにより、コンテンツの表示を終了する指示（以下、「コンテンツ表示終了指示」と言う。）や、ページめくりの指示などの画像切り替え（書換え）指示がされたときを、表示部１０６への表示が行なわれたと判断したタイミングとしてもよい。
【００４１】
なお、上記コンテンツ表示終了指示を受け付けた場合や、携帯型表示装置１の電源を切断（オフ）する指示（以下、「電源オフ指示」と言う。）を受け付けた場合には、ＲＡＭ１０４に記憶した１又は複数の表示データを全て削除するよう構成してもよい。特に、電源オフ指示を受け、ＲＡＭ１０４への電源供給が停止した際に、当該ＲＡＭ１０４に記憶した表示データを確実に消去することができるので、セキュリティ上の効果が高い。
【００４２】
ところで、表示部１０６が、上述したような表示状態を維持できるよう構成されている場合には、ＲＡＭ１０４の表示データを削除しても、表示部１０６には長時間表示状態が維持されてしまい、これが却ってセキュリティ上の弱点となってしまう。そこで、表示部１０６に表示データを表示中に、コンテンツ終了指示や電源オフ指示を受け付けた場合には、ＲＡＭ１０４の表示データの削除するだけでなく、さらに、表示部１０６の表示を終了し、表示リフレッシュさせるよう構成することが好ましい。
【００４３】
次に、図３のフローチャートを参照して、携帯型表示装置１の動作について説明する。
【００４４】
図３は、携帯型表示装置１のＣＰＵ１０１において実行される処理の動作を示すフローチャートであり、ユーザーによる電源キー１０５ｆの操作により携帯型表示装置１の電源がオンとされた後に、フラッシュＲＯＭ１０３から表示データ削除プログラムが読み出されＣＰＵ１０１の制御に基づいて実行される。
【００４５】
先ず、ＣＰＵ１０１は、表示データ取得手段及び記憶制御手段として機能し、ＰＤＡ等の端末機器からＵＳＢケーブル等の有線ケーブルや無線データ通信等を通じて、或いは他のサーバ装置等からネットワークを通じて取得したコンテンツデータを、通信Ｉ／Ｆ１１１を介して装置内部へ取り込み、ＲＡＭ１０４に記憶（ダウンロード）する（ステップＳ１０）。
【００４６】
続いて、ユーザーによって操作キー１０５が操作され、指示が行なわれたか否かを判定し（ステップＳ１１）、指示が行なわれていない場合には（ステップＳ１１：Ｎｏ）、指示が行なわれるまでステップＳ１１の処理を繰り返す。
【００４７】
一方、ユーザーによって指示が行なわれると（ステップＳ１１：Ｙｅｓ）、当該指示が、電源オフ指示であるか否かを判定し（ステップＳ１２）、電源オフ指示で無い場合（ステップＳ１２：Ｎｏ）には、ＲＡＭ１０４に記憶されたコンテンツデータの表示が指示されたか否かを判定する（ステップＳ１３）。
【００４８】
ステップＳ１３の判定の結果、表示指示で無い場合（ステップＳ１３：Ｎｏ）には、ステップＳ１１にて指示された指示内容に応じた処理を行ない（ステップＳ１４）、ステップＳ１１に移行する。
【００４９】
他方、コンテンツデータの表示が指示されると（ステップＳ１３：Ｙｅｓ）、ＣＰＵ１０１は、表示制御手段として機能し、ＲＡＭ１０４に記憶されたコンテンツデータを構成する複数の表示データのうち、表示部１０６に表示すべき表示データをＲＡＭ１０４から読み出し、当該表示データに基づいて表示部１０６に表示書換え処理を行なう（ステップＳ１５）。このときＣＰＵ１０１は、削除手段として機能し、ステップＳ１５にて表示部１０６に表示した表示データを、表示済みの表示データとして、ＲＡＭ１０４から削除する（ステップＳ１６）。
【００５０】
続いて、ユーザーによって操作キー１０５が操作され、指示が行なわれたか否かを判定し（ステップＳ１７）、指示が行なわれていない場合には（ステップＳ１７：Ｎｏ）、指示が行なわれるまでステップＳ１７の処理を繰り返す。
【００５１】
なお、表示部１０６が表示状態を維持可能なメモリ性の表示手段として機能する場合には、ステップＳ１５にて表示部１０６に表示された表示データは、ステップＳ１６にて表示済みの表示データがＲＡＭ１０４から削除され、ステップＳ１７の処理が繰り返される間も、表示部１０６に表示され続けるようになっている。
【００５２】
そして、ユーザーによって指示が行なわれると（ステップＳ１７：Ｙｅｓ）、当該指示が、携帯型表示装置１の電源オフ指示であるか否かを判定し（ステップＳ１８）、電源オフ指示で無い場合（ステップＳ１８：Ｎｏ）には、次ページ（或いは、他のページ）の表示が指示されたか否かを判定する（ステップＳ１９）。
【００５３】
判定の結果、表示が指示された場合には（ステップＳ１９：Ｙｅｓ）、ステップＳ１５に移行する。
【００５４】
次いで、表示が指示されていない場合（ステップＳ１９：Ｎｏ）には、コンテンツ表示終了指示がされたか否かを判定し（ステップＳ２０）、コンテンツ表示終了指示がされた場合には（ステップＳ２０：Ｙｅｓ）、コンテンツデータ（全ての表示データ）をＲＡＭ１０４から削除する（ステップＳ２１）。なお、表示部１０６が表示状態を維持可能なメモリ性の表示手段として機能する場合には、このときに表示部１０６に表示中の表示データの表示を終了する。そして、ステップＳ１１の処理に移行する。
【００５５】
一方、ステップＳ１２又はステップＳ１８の判定において、電源オフ指示がされた場合には（ステップＳ１２：Ｙｅｓ、又は、ステップＳ１８：Ｙｅｓ）、コンテンツデータ、すなわち、コンテンツを構成する全ての表示データをＲＡＭ１０４から削除して（ステップＳ２２）処理を終了する。
【００５６】
なお、表示部１０６が表示状態を維持可能なメモリ性の表示手段として機能する場合に、ステップＳ１８で電源オフ指示がされた場合には（ステップＳ１８：Ｙｅｓ）、表示部１０６に表示中の表示データの表示を終了するよう構成する。
【００５７】
以上説明したように、本実施形態による携帯型表示装置１によれば、ＲＡＭ１０４に一時記憶させた表示データのうち、表示が完了した表示データを削除するよう構成したので、セキュリティ性の高い携帯型表示装置１を実現できる。
【００５８】
また、ステップＳ１５及びステップＳ１６にて説明したように、表示部１０６への表示部１０６への表示処理が完了した直後に、即座にＲＡＭ１０４の表示データを削除すれば、よりセキュリティ性の向上を実現できる。特に、表示部１０６が、電力供給を受けずに画像の表示状態を維持可能に構成されている場合には、有用である。
【００５９】
更に、電源オフ指示やコンテンツ表示終了指示がされると、ＲＡＭ１０４に記憶したコンテンツを構成する全ての表示データを削除するので、手間なく、かつ、確実に表示データを削除することができる。
【００６０】
また、表示部１０６が、表示状態を維持できるよう構成されている場合、表示部１０６に表示データを表示中に、電源オフ指示やコンテンツ表示終了指示がされた場合には、表示を終了するよう構成したので、よりセキュリティ性の高い携帯型表示装置１を提供することができる。
【００６１】
なお、上述した実施形態においては、ＲＡＭ１０４を本発明の記憶手段として機能させ、表示データを記憶させたが、これに限らず、不揮発性記憶手段（例えば、メモリカードＭＣやＲＯＭ１０２等）を本発明の記憶手段として機能させてもよい。この場合にも、コンテンツ表示終了指示や電源オフ指示を受け付けた場合には、メモリカードＭＣやＲＯＭ１０２に記憶した全ての表示データを削除するよう構成する。
【００６２】
また、上述した実施形態においては、ＲＡＭ１０４に一時記憶したコンテンツデータは、他の端末機器等からネットワーク等を通じてＲＡＭ１０４にダウンロードしたが、これに限らず、例えばメモリカードＭＣ内に記憶されたコンテンツデータをＲＡＭ１０４に一時保存するよう構成してもよい。
【符号の説明】
【００６３】
１  携帯型表示装置
１０１  ＣＰＵ
１０２  ＲＯＭ
１０３  フラッシュＲＯＭ
１０４  ＲＡＭ
１０５  操作キー
１０６  表示部
１０７  表示コントローラ
１０８  バッテリー
１０９  充電コントローラ
１１０  メモリカードＩ／Ｆ
１１１  通信Ｉ／Ｆ
ＭＣ  メモリカード
【図１】
2010185957.tif 000003
【図２】
2010185957.tif 000004
【図３】
2010185957.tif 000005